(57)【特許請求の範囲】
【請求項１】
アド/ドロップユニットとして構成される光スイッチ装置であって、
入力光信号を受信し、制御信号に応答して、出力信号の偏光を選択するプログラマブル光偏光ユニットと、
該プログラマブル光偏光ユニットからの選択された偏光出力信号を、第１の直交偏光された信号と第２の直交偏光された信号とに分割する第1及び第2の偏光ビームスプリッタ(PBS)と、
それぞれが直交偏光された信号の各々の信号の光信号強度を示す複数のフィードバック信号を該プログラマブル光偏光ユニットに結合するフィードバック回路とを有し、
該プログラマブル光偏光ユニットは、該複数のフィードバック信号に応答して、該選択された偏光出力信号の偏光を調節し、
該第1のPBSは、ドロップユニットとして動作し、該第１の直交偏光された信号は、第1の制御信号に応答して生成されて第1のポートで出力され、該第2の直交偏光された信号は、第2の制御信号に応答して生成されてドロップポートで出力され、
該第2のPBSは、該第1のPBSへの接続を1つのみ備えており、該接続は、該第1のPBSの第1のポートから該第2のPBSの第1のポートへの接続であり、該第1の直交偏光された信号は、該第2のPBSの出力ポートに伝播し、該第2のPBSのアドポートで受信した新たな第2の直交偏光された信号と該第1の直交偏光された信号とを結合することにより、該出力ポートで1つの結合された出力信号を生成し、
第１の制御信号に応答して、該プログラマブル光偏光ユニットは、該第１の直交偏光された信号と関連するフィードバック信号を選択し、第２の制御信号に応答して、該プログラマブル光偏光ユニットは、該第２の直交偏光された信号と関連するフィードバック信号を選択し、
第３の制御信号に応答して、該プログラマブル光偏光ユニットは、第１の直交偏光された信号及び第２の直交偏光された信号の両方と関連する複数のフィードバック信号を選択する光スイッチ装置。
【請求項２】
請求項１記載の光スイッチ装置において、該入力光信号の偏光は、実質的に一定のままであり、該フィードバック回路は、第１の直交偏光された信号及び第２の直交偏光された信号のうちの一方のみを該プログラマブル光偏光ユニットに結合させる光スイッチ装置。
【請求項３】
請求項２に記載の光スイッチ装置において、該フィードバック回路は、所定の状態の間にのみ動作可能とされる光スイッチ装置。
【請求項４】
請求項１記載の光スイッチ装置において、該入力光信号の偏光は、時間により変化し、該フィードバック回路は、該第１の直交偏光された信号及び第２の直交偏光された信号の両方を該プログラマブル光偏光ユニットに結合させ、該プログラマブル光偏光ユニットは、その偏光回転を調節して、該選択された偏光出力信号を固定の偏光に維持する光スイッチ装置。
【請求項５】
請求項１記載の光スイッチ装置において、該プログラム可能な光偏光ユニットは、
該フィードバック信号及び該制御信号に応答して、偏光調節信号を生成する制御ユニットと、
該偏光調整信号に応答して、該選択された偏光出力信号の偏光を調節する偏光ローテータとを含む光スイッチ装置。
【請求項６】
請求項１記載の光スイッチ装置において、該フィードバック回路は、
該第１の直交偏光された信号の一部を第１の光検出器に接続するカプラをさらに含み、
該光検出器は、該第１の直交偏光された信号のうちの該光検出器に接続された部分に応答して、電気信号を生成し、
該プログラマブル光偏光ユニットは、該生成された電気信号に応答して、該選択された偏光出力信号の偏光を調整する光スイッチ装置。
【請求項７】
請求項１記載の光スイッチ装置において、該フィードバック回路は、
第１のフィードバックループを含み、該第１のフィードバックループは、
該第１の直交偏光信号の一部を第１の光検出器に接続する第１のカプラを含み、
該第１の光検出器は、該第１の直交偏光信号のうちの該第１の光検出器に接続された部分に応答して、第１の電気信号を生成し、
該フィードバック回路は、第２のフィードバックループをさらに含み、該第２のフィードバックループは、
該第２の直交偏光信号の一部を第２の光検出器に接続する第２のカプラを含み、
第２の光検出器は、該第２の直交偏光信号のうちの該第２の光検出器に接続された部分に応答して、第２の電気信号を生成し、
該プログラマブル光偏光ユニットは、該第１の電気信号及び該第２の電気信号の双方に応答して、該選択された偏光出力信号の偏光を調整する光スイッチ装置。
【請求項８】
請求項１に記載の装置において、該第１の偏光ビームスプリッタと該第２の偏光ビームスプリッタは、プリズム、ガラス薄板、部分的反射鏡、及びバルク光学デバイスからなる群から選択される光スイッチ装置。
【発明の詳細な説明】
【０００１】
【発明の属する技術分野】
本発明は波長分割多重（ＷＤＭ）信号と共に使用するための光スイッチ装置に係り、特に、制御可能な光偏光ユニットを使用して構成されるプログラマブル光スイッチ装置に関する。
【０００２】
【従来の技術】
プログラマブルアド／ドロップ(add/drop）ノード１００のアーキテクチャが、図１に示されている。このスキームにおいて、システムの全てのＷＤＭ信号チャネル１０１は、デマルチプレクサ１０２において分離される。この後に、波長チャネルのいくつかが、アド／ドロップノード１０３を通るが、他の波長チャネルは、アド／ドロップスイッチ１０４によりドロップされまたはアドされ得る。最終的に、全ての信号チャネルが、マルチプレクサ１０５により一緒に多重化され、ＯＬＳ（optical line system）上を送られるＷＤＭ信号１０６を形成する。
【０００３】
ノード１００内において、アド／ドロップスイッチ１０４は、一度に１チャネルにインストールされ得る。このように、アド／ドロップチャネルの数のスケーリングは、サービスの完全な中断なしにノード１００において達成され得る。また、アド／ドロップスイッチは、ローカルまたはリモートコントロール信号１０７に応答して、ドロップステートからスルーステートまたはその逆に信号チャネルを変更するように再構成され得る。結果として、沿革的に再構成可能なモジュラスイッチが、そのようなアド／ドロップアーキテクチャにとって好都合である。
【０００４】
このアド／ドロップアーキテクチャの潜在的な問題は、インバンド(in-band)クロストーク（in-band crosstalk ）である。インバンドクロストークは、光ネットワーク中の受信機における厳しいパフォーマンスペナルティを生じることがよく知られている。［E.L. Goldstein, L. Eskildsen and A.F. Elrefaie, "Performance implications of component crosstalk in transparent lightwave networks," IEEE Photon. Tech. Lett., vol.6, no.5, pp.657-660 (1994)、C.X. Yu, W-k. Wang, and S.D. Brorson, "System degradation due to multipath coherent crosstalk in WDM network nodes," J. Lightwave Tech., vol.16, no.8, pp.1380-1386 (1998) ］インバンドクロストークは、信号フィールドと受信機において干渉する可能性がある光フィールドと呼ばれ、受信機帯域幅内にあるスペクトルビート周波数を生じる。図１に示されたような光アド／ドロップアーキテクチャがネットワーク中で使用される場合、インバンドクロストークは、二通りに起こり得る。
【０００５】
第１に、デマルチプレクサ１０２のアウトオブパスバンド吸収の制約が、図１のマルチプレクサの出力におけるそれ自体との信号のマルチパス干渉を生じる。このインバンドクロストークペナルティに対する寄与は、波長チャネルの数と共に増大するが、クロストークレベルは、マルチプレクサ１０５における第２のリジェクションにより低くなり得る。Pires 等による文献［J.J.O. Pires, N. Parnis, E. Jones, and M. O'Mahony, "Crosstalk implications in full-mesh WDM ring networks using arrayed-waveguide grating OADMs," Proc. ECOC'98, pp.541-542, 20-24 Sept., 1998, Madrid, Spain ］は、９個のノードを指示するために、フルメッシュＷＤＭリングネットワーク中のデマルチプレクサにおいて、３５ｄＢより大きいリジェクションが必要とされることを示す。
【０００６】
第２に、波長再利用(reuse)の場合に、アドされた信号チャネルは、図１において１０９により閉め出されたスイッチにおける不完全なドロップチャネル（リークスルー、leak-through）１０８の吸収により、その受信機におけるインバンドクロストークペナルティを受ける。ドロップされたチャネルのリークスルーフィールド１０９は、アドされた信号フィールド１１０と干渉する。これは、アドされた信号チャネルおよびドロップされた信号チャネルの両方のスペクトルが、通常に中心が来るようになるからである。
【０００７】
我々は、異なるデータレートに対する第２のメカニズムによるインバンドクロストークペナルティを測定し、光ネットワークの粒状度（granularity ）に無関係に、インバンドクロストークペナルティが１ｄＢより小さくなることを保証するために、ドロップチャネルが３２−３５ｄＢだけ抑制されるに違いないと決定した。
【０００８】
【発明が解決しようとする課題】
したがって、アド／ドロップ装置においてインバンドクロストークペナルティを減少させるニーズがある。
【０００９】
【課題を解決するための手段】
本発明の装置および動作方法によれば、我々は、アドされる信号の偏光が、ドロップされる信号のリンクする光フィールドに対してクロス偏光されることを保証することにより、第２のタイプのインバンドクロストークペナルティを除去する光スイッチを開示する。クロス偏光の場合、受信機においてアドされる信号とリークスルーとの間に干渉はない。この場合において、リークスルーは、遙かに小さいパワーペナルティを生じる無信号受信パワーに寄与するのみである。
【００１０】
アドされる信号をクロス偏光するタスクは、リークスルー信号の偏光のランダムさにより複雑化されている。ドロップされる信号は、光ネットワークの異なる部分で始まるので、その偏光は、多数の環境ファクタのために、時間と共に変化する。我々の光スイッチにおいて、我々は、線形偏光の固定ステートにドロップチャネルフィールドを維持するために、偏光ロータ［F. Heismann, "Analysis of a reset-free polarization controller for fast automatic polarization stabilization in fiber-optic transmission systems," J. Lightwave Tech., vol.12, no.4 pp.690-699］を制御するフィードバック信号を提供し、いかなるリークスルー信号も最小化する。
【００１１】
したがって、我々の光スイッチは、アドされる信号チャネルとリークスルーされるドロップ信号チャネルの光フィールド間の干渉から生じるインバンドクロストークパワーペナルティを除去する利点を提供する。また、我々の光スイッチは、３つの必要とされる機能、即ち、コンティニュー−ノードロップ、ドロップアンドコンティニューおよびドロップ／アドを実行するために、図１の波長アド／ドロップノードにおいて使用され得るモジュラー、沿革的に再構成可能なスイッチである。
【００１２】
より一般的に、我々の発明は、（１）入力光信号を受信するためのかつ制御信号に応答して出力信号の偏光を選択するためのプログラマブル光偏光ユニット、（２）ＯＳＰユニットからの選択された偏光出力信号を第１および第２の直交偏光された信号に分割するための偏光ビームスプリッタ（ＰＢＳ）、（３）少なくとも１つの直交偏光された信号の光信号強度を示すフィードバック信号を、プログラマブル光偏光ユニットに結合するためのフィードバック回路を含む光スイッチ装置についてのものであり、（４）プログラマブル光偏光ユニットは、フィードバック信号に応答して、その回転を調節し、選択された偏光出力信号の固定偏光を維持する。
【００１３】
本発明の他の側面によれば、光スイッチ装置は、光アド／ドロップユニットまたは波長分割多重（ＷＤＭ）信号アド／ドロップユニットの一部として含まれ得る。光スイッチ装置は、それぞれ単一または２つのフィードバック信号を使用することにより、固定または変化する偏光を有する入力光信号と共に使用され得る。また、光スイッチ装置は、様々な偏光ビームスプリッタを使用して具現化され得る。
【００１４】
【発明の実施の形態】
以下の説明において、異なる図面中の同じ要素は、同じ符号は、同じエレメントを示す。また、符号中の一番目の桁は、そのエレメントが最初に示された図を表す（例えば、１０２は、図１において最初に示されている）。図１には、波長分割多重（ＷＤＭ）信号と共に使用するためのプログラマブルアド／ドロップノード１００のブロック図を示す。アド／ドロップノード１００は、１つまたは２つ以上のアド／ドロップスイッチ１０４を含み、その各々は、受信されたＷＤＭ信号１０１から１つまたは２つ以上の波長を、制御信号１０７の制御下で、ドロップし、ドロップおよびコンティニューし、アートし、またはコンティニュー（即ち、パス）し、出力ＷＤＭ信号１０６を形成するようにプログラム可能である。
【００１５】
図２は、１つまたは２つ以上の波長に対してアド／ドロップ／コンティニュー能力を制御するために、図１のアド／ドロップノード１００と共に使用され得るアド／ドロップスイッチ装置２００の第１の実施形態を示す。アド／ドロップスイッチアパレイタス２００は、（例えば、デマルチプレクサ１０２からの）入力光波長信号２０１を受信し、かつ出力２０１ａにおいて入力信号２０１の光フィールドの偏光を所望の偏光に回転させるエレクトロオプティック偏光コントローラ（ＰＯＬＣＯＮ）２０２を含む。
【００１６】
図示されているように、入力信号２０１の光フィールドの偏光２３０は、いずれのタイプであってもよく、時間の関数として変化し得る。入力信号は、光ネットワークの異なる部分において生じるので、その偏光は、多数の環境要因により時間と共に変化する。入力信号２０１の様々な偏光が、例えば、入力信号が運ばれた光ファイバファスリティに影響を与える多様な環境要因により引き起こされ得る。これらの環境要因は、光ファイバファスリティが曝される温度、圧力、干渉などを含み得る。一般に、入力信号２０１の偏光は、１０ないし１００μ秒のレートで変化する。しかし、そのような偏光の変化のレートは、ＰＯＬＣＯＮ２０２と共に使用される我々のフィードバック構成により容易に補償され得る。
【００１７】
ＰＯＬＣＯＮ２０２の光出力信号２０１ａは、第１のファイバ偏光ビームスプリッタ（ＰＢＳ１）２０３により、↑および◎（図中では○の中に×印に対応）で示されているように、その成分直交偏光に分割される。ＰＢＳ１の２つの出力の各々における偏光状態、即ち、↑および◎は、偏光維持（ＰＭ）ファイバ２０５および２０４の使用により保持される。各出力パス上の１０％カプラまたはタップ２０６および２０７は、それぞれ、光検出器２０８および２０９で終端される。
【００１８】
２つの光検出器、ＰＤ↑２０９およびＰＤ◎２０８は、ＰＢＳ１  ２０３の出力信号中の２つの偏光状態の各々のパワーレベルを監視する。ホト光検出器２０８および２０９からの電気的光電流信号２１０および２１１は、それぞれ、ＰＯＬＣＯＮ２０２の制御回路（図４の４０１）へ入力される。光電流信号ＩPD↑２１１およびＩPD◎２１０の比は、信号チャネル中の全パワーと無関係に、入力信号２０１ａの偏光状態をＰＢＳ１  ２０３へ与える。
【００１９】
したがって、光電流信号２１１の２１２に対する比が低い場合、ＰＢＳ１  ２０３への入力信号は、↑偏光よりも◎偏光を多く有する。逆に、光電流信号２１１の２１０に対する比が高い場合、ＰＢＳ１  ２０３への入力信号は、◎偏光よりも↑偏光を多く有する。２つのフィードバックループが図２中に形成されており、一方は、ＰＢＳ１、カプラ２０６、ＰＤ２０８およびＰＯＬＣＯＮ２０２により形成され、第２のものは、ＰＢＳ１、カプラ２０７、ＰＤ２０７およびＰＯＬＣＯＮ２０２により形成されている。
【００２０】
制御信号２２０は、ＰＯＬＣＯＮ２０２がドロップ（およびアド）、コンティニュー、およびドロップおよびコンティニューモードにあるべきかどうかを選択し、それぞれ、◎、↑、または◎および↑の偏光信号を、ＰＯＬＣＯＮ２０２から出力させる。フィードバック信号２１０および２１１は、ＰＯＬＣＯＮ２０２が、その偏光回転を調節し、入力信号２０１中の偏光の変動（例えば、２３０）を補償し、したがってＰＯＬＣＯＮ２０２の出力信号２０１ａの選択される偏光を一定に維持することを可能にする。
【００２１】
制御信号２２０が、入力光信号２０１は、ドロップされるべきであることを示す場合、ＰＯＬＣＯＮ２０２は、ＰＢＳ１がドロップポート２２１へ導く◎偏光信号を生成する。制御信号２２０が、光信号２２０をアド／ドロップスイッチ２００を通過する（または継続する）べきであることを示す場合、ＰＯＬＣＯＮ２０２は、ＰＢＳ１がファイバ２０５へ導く↑偏光信号を生成する。そして、ＰＢＳ１  ２０３は、ドロップ機能をアド／ドロップスイッチ装置２００へ提供する。
【００２２】
アド機能は、アドポート２２３において◎偏光信号を受信するＰＢＳ２  ２２２により提供され、◎偏光信号は、ファイバ２０５上で↑偏光信号と結合されて、出力信号２２４を生成する。例えば、制御信号２２０がＰＯＬＣＯＮ２０２はドロップおよびコンティニューモードにあるべきであると選択する場合（ここでは、↑および◎の両方の偏光信号が信号２０１ａに存在することを選択する場合）、↑偏光信号が存在する。
【００２３】
そして、ＰＢＳ２の出力信号２２４は、マルチプレクサ１０５により他の信号チャネルと多重化され、ＷＤＭ信号１０６を形成する。上述した偏光ビームスプリッタＰＢＳ１およびＰＢＳ２は、プリズム、薄いガラスプレート、部分反射性ミラー、バルク光学デバイスまたは他の既知のタイプを含むグループから選択されるタイプであり得る。
【００２４】
例示的に、↑および◎により表されているいずれか２つの固定直交線形偏光は、ＰＯＬＣＯＮ２０２からの信号の２つの出力偏光状態としてセットされ得ることに留意すべきである。スイッチ２００のコンティニュー（またはスルー）モードまたは状態は、↑の偏光状態が割り当てられ、ドロップ／アドモードは、◎の偏光状態が割当てられる。
【００２５】
図４は、図２のアド／ドロップ装置中で使用されるＰＯＬＣＯＮ２０２のブロック図を示す。図示されているように、ＰＯＬＣＯＮ２０２は、制御回路４０１および偏光ローテータ４０４を含む。偏光ロータ４０４は、D. A. Fishman 等に１９９９年７月２７日に発行された米国特許第５，９３０，４１４号に示されたタイプの偏光トランスフォーマであり得る。制御回路４０１は、２つの光電流２１０および２１１の比を決定する作動増幅器４０２を含む。
【００２６】
増幅器４０２の出力は、制御信号２２０と共にモード選択回路４０３へ供給される。制御信号２２０は、モード選択回路４０３が、制御偏光ローテータ４０４の動作モードを選択するために必要とされる適切な電圧を出力することを可能にする。選択される特定の動作モードに依存して、制御偏光ローテータ４０４は、その出力信号２０１ａの偏光の線形状態をセットする。そして、制御信号２２０は、アド／ドロップスイッチ２００の機能の各々が以下のように実行されることを可能にする。
【００２７】
コンティニュー・ノードロップモード：これは、フィードバックがＰＯＬＣＯＮ２０２の出力状態を↑偏光状態にセットすることを補償することにより得られる。換言すれば、比ＩPD↑／ＩPD◎は、固定の大きい値（例えば、２７ｄＢ）にセットされる。したがって、入力信号の偏光が時間により変化するので、フィードバック信号ＩPD↑／ＩPD◎は、ＰＯＬＣＯＮ２０２の出力信号２０１ａの偏光を↑偏光状態に維持するように、偏光ローテータ４０４にその回転を変化させる。この比の上限は、ＰＢＳの偏光吸収によりセットされる。
【００２８】
ドロップアンドコンティニューモード：アド／ドロップのドロップ状態とスルー状態との間の必要とされる吸収に依存して、比ＩPD↑／ＩPD◎がセットされ得る。ドロップされる信号のコンティニューされる信号に対する比は、特定のアプリケーションにより決定される。マルチキャストアプリケーションにおいて、ドロップ信号レベルは、同じ光信号を受信することになるノードの数により決定され得る。
【００２９】
ドロップアンドアドモード：これは、比ＩPD↑／ＩPD◎を固定の低い値（例えば、−２７ｄＢ）にセットすることにより得られる。アドされる信号の偏光は、固定されかつ◎偏光状態にセットされ得るので、これは、スルー（↑）偏光状態で当然にクロス偏光される。入力信号の偏光は、時間により変化するので、フィードバック信号ＩPD↑／ＩPD◎は、ＰＯＬＣＯＮ２０２の出力信号２０１ａの偏光を◎偏光状態に維持するように、偏光ローテータ４０４にその回転を変化させる。◎偏光状態におけるリークスルー信号は、ＰＢＳ２において２度リジェクトされる。したがって、ドロップチャネルのトータルリジェクションは、比ＩPD↑／ＩPD◎の２倍である。
【００３０】
我々のアド／ドロップスイッチ２００は、２つの重要な利点を有する。第１にアド／ドロップスイッチ２００は、他のチャネルにおけるサービスを中断させることなしに、アド／ドロップノード１００において特定の信号チャネルにインストールされ得る別個のモジュールであり得る。第２に、アド／ドロップスイッチ２００は、ただ１つの数、即ち比ＩPD↑／ＩPD◎を特定する制御信号２２０を必要とし、遠隔的に再構成可能(reconfigurable)であり得る。制御信号２２０は、ノードコンピュータまたは光ネットワーク制御コンピュータにより提供され得る。
【００３１】
また、我々のアド／ドロップ光スイッチは、アドされる信号の偏光が、ドロップされる信号のリンクスルー光フィールドに対してクロス偏光されることを保証する。このクロス偏光のために、リークスルー信号は、アドされる信号が受信機において検出されるとき、アドされる信号と干渉しない。この場合において、リークスルー信号は、遙かに小さいパワーペナルティしか導かない比信号受信パワーのみ寄与する。我々の光スイッチ２００は、ドロップチャネル信号を線形偏光の固定状態に維持するように偏光ローテータ４０４を制御するフィードバック信号を提供するので、光スイッチ２００を通るリークスルー信号を最小化する。
【００３２】
したがって、我々の光スイッチ２００は、アドされる信号チャネルとリークスルードロップ信号チャネルの光フィールド間の干渉から生じるインバンドクロストークパワーペナルティを除去する利点を提供する。また、我々の光スイッチ２００は、モジュラー、沿革的に再構成可能なスイッチであり、これは、３つの必要とされる機能、即ち、コンティニューノードロップ、ドロップアンドコンティニュー、およびドロップ／アドを実行するために、図１の波長アド／ドロップノードにおいて使用され得る。
【００３３】
図３には、代替的なアド／ドロップスイッチ２００のアーキテクチャが示されており、ここでは、シングルバルク光ＰＢＳ１  ３０１が、アド機能およびドロップ機能の両方を実行する。しかし、これは、ＰＢＳ１  ３０１の偏光リジェクション比に厳しい制約を課す。この比が３５ｄＢより小さい場合、ドロップされる信号は、アドされる信号チャネルによるインバンドクロストークペナルティを受けることになる。
【００３４】
図５は、固定偏光入力信号５０１と共に使用されるドロップ／コンティニュースイッチ装置の一実施形態を示す。入力信号５０１の偏光は固定であるので、ＰＢＳ５０３、カプラ５０６、ＰＤ５０８およびＰＯＬＣＯＮ５０２からなるフィードバック回路は、所定の時点（例えば、スタートアップ時）のみ接続される。セットアップにおいて、ＰＯＬＣＯＮ５０２の偏光ローテータの回転は、出力信号５０１ａの所望の偏光を得るように調節される。即ち、コンティニューモードのための↑偏光状態、ドロップ（およびアド）モードのための◎偏光状態およびドロップアンドコンティニューモードのための↑および◎偏光状態である。
【００３５】
【発明の効果】
以上説明したように、本発明によれば、アド／ドロップ装置においてインバンドクロストークペナルティを減少させることができる。
【００３６】
特許請求の範囲に発明の構成要件の後の括弧内の符号が記載されている場合は、構成要件と実施例と対応づけて発明を容易に理解させる為であり、特許請求の範囲の解釈に用いるべきのものではない。
【図面の簡単な説明】
【図１】本発明による例示的な波長分割多重（ＷＤＭ）信号と共に使用するためのプログラマブルアド／ドロップノードを示すブロック図。
【図２】１波長に対するアド／ドロップ／コンティニュー能力を制御するための図１のアド／ドロップノードにおいて使用され得るアド／ドロップ光スイッチの第１の実施形態を示す図。
【図３】１波長に対するアド／ドロップ／コンティニュー能力を制御するための図１のアド／ドロップノードにおいて使用され得るアド／ドロップ光スイッチの第２の実施形態を示す図。
【図４】図２および図３のアド／ドロップ装置において使用される電気光偏光コントローラ（ＰＯＬＣＯＮ）を示すブロック図。
【図５】ドロップ／コンティニュー光スイッチ装置の一実施形態を示す図。
【符号の説明】
１００  プログラマブルアド／ドロップノード
１０１  ＷＤＭ信号チャネル
１０２  デマルチプレクサ
１０４  アド／ドロップスイッチ
１０５  マルチプレクサ
１０６  ＷＤＭ信号
１０７  制御信号
２００  アド／ドロップスイッチ装置
２０１  入力光波長信号
２０３，２２２  偏光ビームスプリッタ
２０４，２０５  偏光維持ファイバ
２０６，２０７  カプラ
２０８，２０９  光検出器
２１０，２１１  電気的光電流信号
２２０  制御信号
２２１  ドロップ(DROP)
２２３  アド(ADD)
２２４  出力信号
【図１】
0004017830.tif 000002
【図２】
0004017830.tif 000003
【図３】
0004017830.tif 000004
【図４】
0004017830.tif 000005
【図５】
0004017830.tif 000006